(57)【特許請求の範囲】
【請求項１】
椅子本体に座板及び背板を支持させてなる椅子であって、
前記座板及び背板の少なくとも一方が、厚み方向に撓み可能な複数本の帯状部材を隣接させて配するとともに、隣り合う帯状部材同士を当該帯状部材よりも幅の狭い接続片により直線で接続するよりも長い経路をもってそれぞれ弾性変形可能に接続した構造をなす板材を備えたものであり、
前記板材が、椅子本体に支持される周縁部と、この周縁部の内側に位置する中間部とを有し、
前記各帯状部材が、対向する前記周縁部の２箇所をつなぐように配置されたものであり、前記周縁部の２箇所を直線で接続するよりも長い経路をもって弾性変形可能に接続し得る形状をなしており、
前記各帯状部材が、直線に対する余剰長さを相互に異ならせたものであることを特徴とする椅子。
【請求項２】
前記板材が、椅子本体に支持される周縁部と、この周縁部の内側に位置する中間部とを有し樹脂で一体に成形されたものであり、前記中間部の特定箇所が、前記帯状部材及び接続片を備えた構造をなしている請求項１記載の椅子。
【請求項３】
前記各帯状部材の余剰長さが、漸次変化するように設定されている請求項１又は２記載の椅子。
【請求項４】
特定の帯状部材の余剰長さが、他の帯状部材の余剰長さと異なるように設定されている請求項１又は２記載の椅子。
【請求項５】
前記帯状部材及び接続片が、ほぼ同一面内に配置されており、各帯状部材及び各接続片の少なくとも一方が波状をなしている請求項１、２、３又は４記載の椅子。
【発明の詳細な説明】
【技術分野】
【０００１】
本発明は、学校用または事務用等として好適に使用される椅子に関する。
【背景技術】
【０００２】
従来、この種の椅子では、比較的長時間着座されることが少なくないため、座り心地が重視され、種々の改善がなされてきた。近時、非常に座り心地のよい椅子として、枠材に張設したメッシュにより着座者の荷重を弾性的に受けるようにしたメッシュタイプの椅子が開発されている（例えば、特許文献１を参照）。
【０００３】
ところが、このようなメッシュタイプの椅子では、枠材にメッシュを適切な張力をもって張り設ける必要があり、その支持構造が複雑であるとともに、その張設作業に高い技術力が要求される。
【先行技術文献】
【特許文献】
【０００４】
【特許文献１】特開２００７−２０２５９１号公報
【発明の概要】
【発明が解決しようとする課題】
【０００５】
本発明は、以上のような事情に着目してなされたものであり、製造に高い技術力や手間を必要とせずに、座り心地のよい椅子を提供することを目的とする。
【課題を解決するための手段】
【０００６】
本発明は、以上のような課題を解決するために、次のような構成を採用したものである。すなわち、本発明に係る椅子は、椅子本体に座板及び背板を支持させてなる椅子であって、前記座板及び背板の少なくとも一方が、厚み方向に撓み可能な複数本の帯状部材を隣接させて配するとともに、隣り合う帯状部材同士を当該帯状部材よりも幅の狭い接続片により直線で接続するよりも長い経路をもってそれぞれ弾性変形可能に接続した構造をなす板材を備えたものであり、前記板材が、椅子本体に支持される周縁部と、この周縁部の内側に位置する中間部とを有し、前記各帯状部材が、対向する前記周縁部の２箇所をつなぐように配置されたものであり、前記周縁部の２箇所を直線で接続するよりも長い経路をもって弾性変形可能に接続し得る形状をなしており、前記各帯状部材が、直線に対する余剰長さを相互に異ならせたものであることを特徴とする。
【０００７】
このようなものであれば、板材により着座者の荷重を弾性的に受けるようにしているので、従来のような枠材にメッシュを張り設けたものに比べて製造に高い技術力や手間を必要とせずに、座り心地のよい椅子となる。すなわち、前記各帯状部材が、厚み方向に撓みながら着座者の荷重を主として受けるとともに、これら各帯状部材よりも幅の狭い各接続片が帯状部材の相対変位に伴って変形し、これら各帯状部材の動きを適切なものにしている。そのため、板材が着座者の荷重に応じて撓み変形し、座り心地のよいものとなる。
【０００８】
前記板材が、椅子本体に支持される周縁部と、この周縁部の内側に位置する中間部とを有し樹脂で一体に成形されたものである場合の好適な一態様としては、前記中間部の特定箇所が、前記帯状部材及び接続片を備えた構造をなしているものが挙げられる。
【０００９】
前記各帯状部材が、対向する前記周縁部の２箇所をつなぐように配置されている。また、前記周縁部の２箇所を直線で接続するよりも長い経路をもって弾性変形可能に接続し得る形状をなしている。
【００１０】
前記各帯状部材は、直線に対する余剰長さを相互に異ならせたものである。具体的には、前記各帯状部材の余剰長さが、漸次変化するように設定されているものや、特定の帯状部材の余剰長さが、他の帯状部材の余剰長さと異なるように設定されているものが考えられる。
【００１３】
前記帯状部材及び接続片は、ほぼ同一面内に配置されており、各帯状部材及び各接続片の少なくとも一方が波状をなしているものが好ましい。ここで、「同一面」には、平面や曲面が含まれる。
【発明の効果】
【００１４】
本発明は、以上のような構成であるから、製造に高い技術力や手間を必要とせずに、座り心地のよい椅子を提供することができる。
【図面の簡単な説明】
【００１５】
【図１】本発明の第１実施形態を示す全体斜視図。
【図２】同実施形態の背面側を示す全体斜視図。
【図３】同実施形態の座板を示す平面図。
【図４】同実施形態の座板を示す斜視図。
【図５】本発明の第２実施形態を示す全体斜視図。
【図６】同実施形態の背面側を示す全体斜視図。
【図７】同実施形態の側断面図。
【図８】本発明の第３実施形態の要部を示す分解斜視図。
【図９】同実施形態の椅子を模式的に示す側面図。
【図１０】本発明の第４実施形態を示す全体斜視図。
【図１１】同実施形態の椅子の使用態様を模式的に示す側面図。
【図１２】同実施形態の椅子の使用態様を模式的に示す側面図。
【図１３】参考例を示す板材の平面図。
【図１４】本発明の取付体の変形例を模式的に示す説明図。
【発明を実施するための形態】
【００１６】
以下、本発明の第１実施形態について図１ないし図４を参照して説明する。
【００１７】
この実施形態は、本発明を上下方向にスタッキング可能な椅子Ａ１に適用したものである。この椅子Ａ１は、椅子本体Ａ２に座板Ａ３及び背板Ａ４を支持させてなるものである。
【００１８】
椅子本体Ａ２は、図１及び図２に示すように、接地体Ａ２１１を介して床上に載置される左右のベースＡ２１と、これら各ベースＡ２１の前端から上方に延出する左右の前脚Ａ２２と、前記各ベースＡ２１の後端から上方に延出する左右の後脚Ａ２３と、これら後脚Ａ２３の上端間に架設された後フレームＡ２４と、この後フレームＡ２４の両端近傍部と前記前脚Ａ２２の上端とを繋ぐ左右の側フレームＡ２５と、これら側フレームＡ２５の前端近傍部間に架設された前フレームＡ２６と、前記後脚Ａ２３の上端から上方に延出する左右の背フレームＡ２７とを備えてなる。前記ベースＡ２１、前脚Ａ２２、後脚Ａ２３、側フレームＡ２５、及び、背フレームＡ２７は、共通の金属線材を折曲げることにより一体に構成されたもので、前記座板Ａ３及び背板Ａ４に作用する荷重を受けることが可能な強度を備えている。そして、前記左右の側フレームＡ２５に前記座板Ａ３を支持させている。また、本実施形態においては、前記椅子本体Ａ２に前記座板Ａ３を取り付けた状態で、前記前フレームＡ２６と前記座板Ａ３との間に当該座板Ａ３の下方への撓みを許容できるだけの隙間が形成されるように設定してある。
【００１９】
座板Ａ３は、図１ないし図４に示すように、板材Ａ３１と、この板材Ａ３１の下面に突設した取付体Ａ３２とを備えたもので、この実施形態においては、樹脂により一体に成形されている。
【００２０】
板材Ａ３１は、図１ないし図４に示すように、椅子本体Ａ２の左右の側フレームＡ２５に支持される周縁部Ａ５と、この周縁部Ａ５の内側に位置する中間部Ａ６とを有し樹脂で一体に成形されたものであり、前記中間部Ａ６の特定箇所、この実施形態では、中間部Ａ６の全域が、前記帯状部材Ａ６１及び接続片Ａ６２を備えた構造をなしている。
【００２１】
前記周縁部Ａ５は、図１ないし図４に示すように、中間部Ａ６の左右両側に位置する側縁部分Ａ５１と、中間部Ａ６の後側に位置する後縁部分Ａ５２と、中間部Ａ６の前側に位置する前縁部分Ａ５３とを備えたものである。前記側縁部分Ａ５１は、前記側フレームＡ２５を包み込むように下方に湾曲している。前記後縁部分Ａ５２は、後上方に向けて湾曲している。前記前縁部分Ａ５３は、前下方に向けて湾曲している。
【００２２】
前記中間部Ａ６は、図１ないし図４に示すように、厚み方向に撓み可能な複数本の帯状部材Ａ６１を隣接させて配するとともに、隣り合う帯状部材Ａ６１同士を当該帯状部材Ａ６１よりも幅の狭い接続片Ａ６２により直線で接続するよりも長い経路をもってそれぞれ弾性変形可能に接続した構造をなしている。
【００２３】
前記各帯状部材Ａ６１は、図１ないし図４に示すように、対向する前記周縁部Ａ５の２箇所をつなぐように配置されたものであり、前記周縁部Ａ５の２箇所を直線で接続するよりも長い経路をもって弾性変形可能に接続し得る形状をなしている。この実施形態では、各帯状部材Ａ６１は、周縁部Ａ５の左右の側縁部分Ａ５１を、同じ前後方向位置同士で接続している。前記各帯状部材Ａ６１は、直線に対する余剰長さを相互に異ならせたものであり、特定の帯状部材Ａ６１の余剰長さが、他の帯状部材Ａ６１の余剰長さと異なるように設定されている。詳述すれば、前記中間部Ａ６の中央付近の帯状部材Ａ６１の余剰長さは、前記中間部Ａ６の前側及び後側の帯状部材Ａ６１の余剰長さよりも長くなるようにしている。換言すれば、着座者の臀部を受ける部分の帯状部材Ａ６１の余剰長さが最も長く設定されており、その帯状部材Ａ６１から周縁部Ａ５の前縁部分Ａ５３及び後縁部分Ａ５２に向かって漸次帯状部材Ａ６１の余剰長さが短くなるように設定されている。
【００２４】
前記各接続片Ａ６２は、図１ないし図４に示すように、隣接する帯状部材Ａ６１の２箇所をつなぐように配置されたものであり、前記帯状部材Ａ６１の２箇所を直線で接続するよりも長い経路をもって弾性変形可能に接続し得る形状をなしている。この実施形態では、各接続片Ａ６２は、一の帯状部材Ａ６１の前縁と、その一の帯状部材Ａ６１の前方に隣接配置される他の帯状部材Ａ６１の後縁とを、同じ左右方向位置同士で接続している。前記各接続片Ａ６２は、直線に対する余剰長さを相互に異ならせたものであり、特定の接続片Ａ６２の余剰長さが、他の接続片Ａ６２の余剰長さと異なるように設定されている。詳述すれば、前記中間部Ａ６の中央付近の接続片Ａ６２の余剰長さは、前記中間部Ａ６の左右両側の接続片Ａ６２の余剰長さよりも長くなるようにしている。換言すれば、着座者の臀部を受ける部分の接続片Ａ６２の余剰長さが最も長く設定されており、その接続片Ａ６２から周縁部Ａ５の左右の側縁部分Ａ５１に向かって漸次帯状部材Ａ６１の余剰長さが短くなるように設定されている。そして、これらの帯状部材Ａ６１及び接続片Ａ６２が、ほぼ同一面内に配置されており、各帯状部材Ａ６１及び各接続片Ａ６２は、それぞれ波状をなしている。
【００２５】
取付体Ａ３２は、図１及び図２に示すように、前記側縁部分Ａ５１の下面に一体に設けられている。この取付体Ａ３２は、横断面Ｃ字形をなす溝Ａ３２１を有したもので、その溝Ａ３２１を前記側フレームＡ２５に係わり合わせることにより、前記座板Ａ３を前記椅子本体Ａ２に取り付けている。
【００２６】
背板Ａ４は、図１及び図２に示すように、両側縁に下方に開口する取付孔Ａ４１を備えたもので、その取付孔Ａ４１を前記背フレームＡ２７に嵌め合わせることによって、この背板Ａ４を椅子本体Ａ２に支持させている。
【００２７】
以上に述べたように、第１実施形態に係る椅子Ａ１は、椅子本体Ａ２に座板Ａ３及び背板Ａ４を支持させてなる椅子Ａ１であって、前記座板Ａ３が、厚み方向に撓み可能な複数本の帯状部材Ａ６１を隣接させて配するとともに、隣り合う帯状部材Ａ６１同士を当該帯状部材Ａ６１よりも幅の狭い接続片Ａ６２により直線で接続するよりも長い経路をもってそれぞれ弾性変形可能に接続した構造をなす板材Ａ３１を備えたものである。そのため、前記座板Ａ３の全部または主要部を樹脂による一体成形により製造することができ、枠材にメッシュを張り設ける場合のような高い技術力や手間を必要としない。しかも、接続片Ａ６２が直線で接続するよりも長い経路をもって弾性変形可能に接続しているので、接続片Ａ６２自体の素材の伸縮だけではなく、前記接続片Ａ６２が変形部を形成することになり、この接続片Ａ６２が接続されている帯状部材Ａ６１が変形しやすくなり、板材Ａ３１により着座者の荷重を弾性的に受けることができるため、座り心地のよい椅子Ａ１となる。特に実施形態のように、帯状部材Ａ６１及び接続片Ａ６２の余剰長さを荷重分布に応じて設定しておけば、座板全体の強度を保ちつつ、荷重を直接受ける部分は撓み易くすることができる。
【００２８】
すなわち、前記各帯状部材Ａ６１が、厚み方向に撓みながら着座者の荷重を主として受けるとともに、これら各帯状部材Ａ６１よりも幅の狭い各接続片Ａ６２が、厚み方向に撓みながら着座者の荷重を補助的に受けつつ、前記各帯状部材Ａ６１の動きを制御しているので、帯状部材Ａ６１の本数や余剰長さ、或いは接続片Ａ６２の形成箇所や余剰長さ等を適宜設定することにより、種々の特性を有した座り心地のよい座板を作ることができる。したがって、荷重に応じた適切な弾性を有する座板Ａ３を容易に設計することが可能になる。
【００２９】
特に前記実施形態においては、前記周縁部Ａ５と中間部Ａ６とを有した板材Ａ３１と、取付体Ａ３２とを樹脂により一体に成形しているので、部品点数が少なくて済み、また、枠材にメッシュを張り設ける場合に比べて、組立に要する工数を大幅に削減することが可能になる。さらにこの板材Ａ３１は樹脂で一体成形されたものであるため、メッシュタイプに較べて強度が高く、破れたり、切れたり、摺り減るおそれが少ない。すなわち、メッシュタイプのものは、細い糸を編んだり織ったりしているので、全体がほつれる可能性があるが、本実施形態の板材Ａ３１は、上記のように板材Ａ３１が一部破損しても、メッシュタイプのように破損が全体に広がることを抑制できる。
【００３０】
前記中間部Ａ６の特定箇所、本実施形態では着座者の臀部及び大腿部を受ける部分が、前記帯状部材Ａ６１及び接続片Ａ６２を備えた構造をなしているので、座板Ａ３の周辺領域はフレームでしっかり支持されるが、内側領域はソフトな座り心地を得ることができる。
【００３１】
また、前記中間部Ａ６が、波状をなす帯状部材Ａ６１及び接続片Ａ６２を複数備えているので、これらが厚み方向に撓み、座り心地がよい。さらに、前記帯状部材Ａ６１及び接続片Ａ６２が、ほぼ同一平面内に配置されているので、中間部Ａ６に厚み方向の極端な突出がなく、フラットな座り心地が得られる。
【００３２】
さらに、各帯状部材Ａ６１が、対向する前記周縁部Ａ５、換言すれば左右の側縁部分Ａ５１の２箇所をつなぐように配置されたものであり、前記周縁部Ａ５の２箇所を直線で接続するよりも長い経路をもって弾性変形可能に接続し得る形状をなしているので、帯状部材Ａ６１の素材の伸縮だけではなく、前記経路の余剰長さ分が撓み代となるため、前記帯状部材Ａ６１が曲げ方向に変形する許容範囲が大きくなり、座板Ａ３が柔軟性に富んだものとなる。特に、左右の側縁部分Ａ５１間における余剰長さが長いほど撓み易く、本実施形態においては、この余剰長さが他の部分よりも長い前後方向中間部よりもやや後側が最も撓み易くなっている。そして、前記各帯状部材Ａ６１は左右の側縁部分Ａ５１をつないでいるので、各帯状部材Ａ６１によってしっかりと荷重を受けることができる。また、接続片Ａ６２は、隣接する帯状部材Ａ６１同士を適切な余剰長さをもって接続しているため、ある帯状部材Ａ６１に集中的に荷重がかかったときや、着座姿勢の変化が起こったとき等、帯状部材Ａ６１に前後左右方向の力がかかったときでも、各帯状部材Ａ６１の撓み特性を損なわずに隣接する帯状部材Ａ６１に力を分散して、座板Ａ３全体として適切な撓みを得ることができる。
【００３３】
前記各帯状部材Ａ６１及び各接続片Ａ６２がそれぞれ、直線に対する余剰長さを相互に異ならせたものであるため、座板Ａ３の柔軟性を各部において適切に異ならせることが可能になる。具体的には、着座者の臀部を受ける部分を、他の帯状部材Ａ６１や接続片Ａ６２の余剰長さよりも長く設定しているので、着座者の臀部を受ける部分を他の部分に比べて大きく撓ませることができる。したがって、部分によって変形許容量を異ならせることができ、心地よい座り心地を与えることができる。
【００３４】
また、周縁部Ａ５は、上述したように湾曲しているため座板Ａ３として必要な高い剛性を有することとなる。
【００３５】
次に、本発明の第２実施形態について図５ないし図７を参照して説明する。
【００３６】
この実施形態は、本発明を前後方向にネスティング可能な椅子Ｂ１に適用したものである。この椅子Ｂ１は、椅子本体Ｂ２に座板Ｂ３及び背板Ｂ４を支持させてなるものである。
【００３７】
椅子本体Ｂ２は、図５ないし図７に示すように、下端にキャスタＢ２１１を有した左右の前脚Ｂ２１と、下端にキャスタＢ２２１を有した左右の後脚Ｂ２２と、これら後脚Ｂ２２の上端と前記前脚Ｂ２１の上端とをそれぞれ繋ぐ左右の側フレームＢ２４と、これら側フレームＢ２４の前端近傍部間に架設された前フレームＢ２５と、これら側フレームＢ２４の後端近傍部間に架設された後フレームＢ２３と、この後フレームＢ２３に基端部Ｂ２８を回転可能に支持させた左右の支持フレームＢ２６と、前記後脚Ｂ２２の上端から上方に延出する左右の背フレームＢ２７とを備えてなる。前記前脚Ｂ２１と側フレームＢ２４とは、共通の金属パイプ材を折曲げることにより一体に構成されたもので、側フレームＢ２４の後端は後脚Ｂ２２の上端に溶接等により剛結されている。前記前脚Ｂ２１、後脚Ｂ２２、側フレームＢ２４、前フレームＢ２５、後フレームＢ２３、支持フレームＢ２６、及び背フレームＢ２７は、前記座板Ｂ３及び背板Ｂ４に作用する荷重を受けることが可能な強度を備えている。そして、前記支持フレームＢ２６の前端部及び後端部に前記座板Ｂ３を支持させており、座板Ｂ３が略水平になる使用位置（Ｕ）と座板Ｂ３が背板Ｂ４と略平行になる図示しない跳ね上げ位置との間で回動し得るようになっている。支持フレームＢ２６の中間部Ｂ２９には凹陥部Ｂ２９１が形成されており、前記使用位置（Ｕ）においてこの凹陥部Ｂ２９１が前フレームＢ２５に係わり合うようになっている。なお、前記左右の前脚Ｂ２１間の距離は、前記左右の後脚Ｂ２２間の距離よりも小さく設定されており、座板Ｂ３を跳ね上げた状態で同一の構造をなす他の椅子とネスティング可能になっている。
【００３８】
座板Ｂ３は、図５ないし図７に示すように、板材Ｂ３１と、この板材Ｂ３１の下面に突設した前後の取付体Ｂ３２、Ｂ３３とを備えたもので、この実施形態においては、樹脂により一体に成形されている。
【００３９】
板材Ｂ３１は、図５ないし図７に示すように、椅子本体Ｂ２の左右の支持フレームＢ２６に支持される周縁部Ｂ５と、この周縁部Ｂ５の内側に位置する中間部Ｂ６とを有し樹脂で一体に成形されたものであり、前記中間部Ｂ６の特定箇所、この実施形態では、中間部Ｂ６の全域が、前記帯状部材及び接続片を備えた構造をなしている。
【００４０】
前記周縁部Ｂ５は、図５ないし図７に示すように、中間部Ｂ６の左右両側に位置する側縁部分Ｂ５１と、中間部Ｂ６の後側に位置する後縁部分Ｂ５２と、中間部Ｂ６の前側に位置する前縁部分Ｂ５３とを備えたものである。
【００４１】
前記中間部Ｂ６は、前記第１実施形態と同じ構造をなしており、図５ないし図７では、詳しい形態を省略して、中間部Ｂ６を網掛けで示している。
【００４２】
取付体Ｂ３２、Ｂ３３は、図６及び図７に示すように、前記前縁部分Ｂ５３及び後縁部分Ｂ５２の下面に一体に設けられている。前の取付体Ｂ３２は、前記周縁部Ｂ５の前縁部分Ｂ５３に設けられ、後の取付体Ｂ３３は、前記周縁部Ｂ５の後縁部分Ｂ５２に設けられている。前の取付体Ｂ３２に支持フレームＢ２６の前端部を前後方向にスライド可能に取り付けるとともに、後の取付体Ｂ３３に支持フレームＢ２６の後端部を離脱不能に取り付けている。そして、前記前後の取付体Ｂ３２、Ｂ３３間は、前記支持フレームＢ２６と前記座板Ｂ３の中間部Ｂ６とが隙間Ｂ３４を介して離間しており、その隙間Ｂ３４によって前記中間部Ｂ６の厚み方向の弾性変形を許容している。
【００４３】
背板Ｂ４は、図５ないし図７に示すように、両側縁に下方に開口する取付孔Ｂ４１を備えたもので、その取付孔Ｂ４１を前記背フレームＢ２７に嵌め合わせることによって、この背板Ｂ４を椅子本体Ｂ２に支持させている。
【００４４】
このような構成のものであれば、従来のネスティング可能な椅子と同様に使用することができる上に、座板に関しては前述した第１実施形態に準じた効果が得られる
次に、本発明の第３実施形態について図８及び図９を参照して説明する。
【００４５】
この実施形態は、本発明を背板Ｃ４と座板Ｃ３とが一定の比率で同期して傾動するシンクロロッキング可能な椅子Ｃ１に適用したものである。この椅子Ｃ１は、椅子本体Ｃ２に座板Ｃ３及び背板Ｃ４を支持させてなるものである。
【００４６】
椅子本体Ｃ２は、図８及び図９に示すように、キャスタＣ２１１を有する脚Ｃ２１と、この脚Ｃ２１の上端に支持される支持基部Ｃ２２と、この支持基部Ｃ２２に傾動可能に支持される背支桿Ｃ２３と、この背支桿Ｃ２３及び前記支持基部Ｃ２２の上方に配された座受Ｃ２４と、この座受Ｃ２４を前記支持基部Ｃ２２及び背支桿Ｃ２３に支持させる支持機構Ｃ２５とを備えてなる。前記座受Ｃ２４は、環状をなす座フレームＣ２６と、この座フレームＣ２６の四隅に設けられた取付板Ｃ２７と、前記支持機構Ｃ２５と連結するための前連結部Ｃ２８及び後連結部Ｃ２９とを備えてなる。そして、前記座フレームＣ２６に座板Ｃ３を載置し、前記取付板Ｃ２７に挿通させた図示しないボルト等の止着具により前記座フレームＣ２６に前記座板Ｃ３を固定した状態で支持させている。前記支持機構Ｃ２５は、例えば、図９に模式的に示すように、座フレームＣ２６の前連結部Ｃ２８を支持基部Ｃ２２の前端部に連結する自由端構造をなす前リンク要素Ｃ２５１と、背支桿Ｃ２３の中間部に設けられ前記座フレームＣ２６の後連結部Ｃ２９を回動可能に支持する座取付部Ｃ２５２とを具備してなる。
【００４７】
座板Ｃ３は、図８及び図９に示すように、樹脂製の板材Ｃ３１と、この板材Ｃ３１の下面側に設けられた図示しない埋設ナットとを備えたもので、前記取付板Ｃ２７に挿通させた止着具が前記埋設ナットに螺着されるようになっている。
【００４８】
板材Ｃ３１は、図８及び図９に示すように、椅子本体Ｃ２の座フレームＣ２６に支持される周縁部Ｃ５と、この周縁部Ｃ５の内側に位置する中間部Ｃ６とを有し樹脂で一体に成形されたものであり、前記中間部Ｃ６の特定箇所、この実施形態では、中間部Ｃ６の全域が、前記帯状部材及び接続片を備えた構造をなしている。
【００４９】
前記周縁部Ｃ５は、図８及び図９に示すように、中間部Ｃ６の左右両側に位置する側縁部分Ｃ５１と、中間部Ｃ６の後側に位置する後縁部分Ｃ５２と、中間部Ｃ６の前側に位置する前縁部分Ｃ５３とを備えたものである。前記側縁部分Ｃ５１は、前記座フレームＣ２６を包み込むように下方に湾曲している。前記後縁部分Ｃ５２は、後上方に向けて湾曲している。前記前縁部分Ｃ５３は、前下方に向けて湾曲している。
【００５０】
前記中間部Ｃ６は、前記第１実施形態と同じ構造をなしており、図８では、詳しい形態を省略して、中間部Ｃ６を網掛けで示している。
【００５１】
背板Ｃ４は、図９に示すように、前記背支桿Ｃ２３の上端部に取り付けられることで、この背板Ｃ４を椅子本体Ｃ２に支持させており、前記背支桿Ｃ２３と一体的に後傾動作を行うようになっている。
【００５２】
このような構成のものであれば、従来のシンクロロッキング可能な椅子と同様に使用することができる上に、座板に関しては前述した第１実施形態に準じた効果が得られる。特に、この実施形態では、図８に示すように、座枠Ｃ２４の前連結部Ｃ２８及び後連結部Ｃ２９が、座板Ｃ３の撓む範囲下で座フレームＣ２６の左右を連結する構造ではないため、座板Ｃ３の下方への撓み変形を阻害するものが存在しない。したがって、座板Ｃ３の変形し得る範囲を大きく設定することも可能である。
【００５３】
次に、本発明の第４実施形態について図１０ないし図１２を参照して説明する。
【００５４】
この実施形態は、本発明を上下方向にスタッキングすることも前後方向にネスティングすることも可能な椅子Ｄ１に適用したものである。この椅子Ｄ１は、椅子本体Ｄ２に座板Ｄ３及び背板Ｄ４を支持させてなるものである。
【００５５】
椅子本体Ｄ２は、図１０に示すように、接地体Ｄ２１１を介して床上に載置される左右のベースＤ２１と、これら各ベースＤ２１の前端から上方に延出する左右の前脚Ｄ２２と、前記各ベースＤ２１の後端から上方に延出する左右の後脚Ｄ２３と、これら後脚Ｄ２３の上端間に架設された後フレームＤ２４と、この後フレームＤ２４の両端近傍部と前記前脚Ｄ２２の上端とを繋ぐ左右の側フレームＤ２５と、これら側フレームＤ２５の前端近傍部間に架設された前フレームＤ２６と、前記後脚Ｄ２３の上端から上方に延出する左右の背フレームＤ２７とを備えてなる。前記ベースＤ２１、前脚Ｄ２２、後脚Ｄ２３、側フレームＤ２５、及び、背フレームＤ２７は、共通の金属線材を折曲げることにより一体に構成されたもので、前記座板Ｄ３及び背板Ｄ４に作用する荷重を受けることが可能な強度を備えている。そして、座板Ｄ３は、左右の側フレームＤ２５と前フレームＤ２６に載置されるとともに、前記後フレームＤ２４に回動可能に支持されており、図１０及び図１１に示すように座板Ｄ３が略水平になる使用位置（Ｕ）と、図１２に示すように座板Ｄ３が背板Ｄ４と略平行になる跳ね上げ位置（Ｌ）との間で回動し得るようになっている。
【００５６】
なお、第１実施形態と同様に、左右のベースＤ２１同士の離間距離は、前記左右の側フレームＤ２５の離間距離よりも大きく設定してあり、図１１に示すように、同一の構造をなす他の椅子Ｄ１と上下方向にスタッキング可能になっている。特に、図１１に示すような上下方向にスタッキングする際には、上下方向に隣接する上の椅子Ｄ１の設置体Ｄ２１１の下面が、下の椅子Ｄ１のベースＤ２１の上面に載るかたちとなり、上下の椅子Ｄ１の座板Ｄ３同士が直接接触しないように設定されている。そのため、上下方向にスタッキングした際に、上の椅子Ｄ１の座板Ｄ３は、跳ね上げ方向に浮き上がらないようになっている。
【００５７】
また、前記左右の前脚Ｄ２１間の距離は、前記左右の後脚Ｄ２２間の距離よりも小さく設定されており、図１２に示すように、座板Ｄ３を跳ね上げた状態で同一の構造をなす他の椅子とネスティング可能になっている。すなわち、前記左右の側フレームＤ２５同士の離間距離、及び左右のベースＤ２１同士の離間距離は、それぞれ前方に向かって漸次小さくなるように設定されている。
【００５８】
座板Ｄ３は、図１０に示すように、板材Ｄ３１と、この板材Ｄ３１の下面に突設した取付体Ｄ３２とを備えたもので、この実施形態においては、樹脂により一体に成形されている。
【００５９】
板材Ｄ３１は、図１０に示すように、椅子本体Ｄ２の左右の側フレームＤ２５及び前フレームＤ２６及び後フレームＤ２４に支持される周縁部Ｄ５と、この周縁部Ｄ５の内側に位置する中間部Ｄ６とを有し樹脂で一体に成形されたものであり、前記中間部Ｄ６の特定箇所、この実施形態では、中間部Ｄ６の全域が、前記帯状部材及び接続片を備えた構造をなしている。
【００６０】
前記周縁部Ｄ５は、図１０に示すように、中間部Ｄ６の左右両側に位置する側縁部分Ｄ５１と、中間部Ｄ６の後側に位置する後縁部分Ｄ５２と、中間部Ｄ６の前側に位置する前縁部分Ｄ５３とを備えたものである。前記側縁部分Ｄ５１は、前記側フレームＤ２５を包み込むように下方に湾曲している。前記後縁部分Ｄ５２は、後上方に向けて湾曲している。前記前縁部分Ｄ５３は、前下方に向けて湾曲している。
【００６１】
前記中間部Ｄ６は、前記第１実施形態と同じ構造をなしており、図１０では、詳しい形態を省略して、中間部Ｄ６を網掛けで示している。
【００６２】
取付体Ｄ３２は、図１０に示すように、前記後縁部分Ｄ５２の下面に一体に設けられている。この取付体Ｄ３２は、横断面Ｃ字形をなす溝Ｄ３２１を有したもので、その溝Ｄ３２１を前記後フレームＤ２５に回動可能に係わり合わせることにより、前記座板Ｄ３を前記椅子本体Ｄ２に取り付けている。
【００６３】
背板Ｄ４は、図１０に示すように、両側縁に下方に開口する取付孔Ｄ４１を備えたもので、その取付孔Ｄ４１を前記背フレームＤ２７に嵌め合わせることによって、この背板Ｄ４を椅子本体Ｄ２に支持させている。
【００６４】
このような構成のものであれば、図１１に示すように上下方向にスタッキングすることも、図１２に示すように前後方向にネスティングすることも可能になる上に、座板に関しては前述した第１実施形態に準じた効果が得られる。
【００６５】
次に、本発明の参考例である第５実施形態について図１３を参照して説明する。
【００６６】
この実施形態は、本発明を上下方向にスタッキング可能な椅子（全体としては図示しない）に適用したものである。この椅子は、前記第１実施形態と同様な構成をなす椅子本体に図１３に示す座板Ｅ３及び図示しない背板を支持させてなるものである。
【００６７】
図１３に示す座板Ｅ３の板材Ｅ３１は、周縁部Ｅ５と中間部Ｅ６とを有し樹脂で一体に成形されたものである。前記周縁部Ｅ５は、前記第１実施形態と同様の構成であるため、説明を省略する。
【００６８】
前記中間部Ｅ６は、厚み方向に撓み可能な複数本の帯状部材Ｅ６１を隣接させて配するとともに、隣り合う帯状部材Ｅ６１同士を当該帯状部材Ｅ６１よりも幅の狭い接続片Ｅ６２により直線で接続するよりも長い経路をもってそれぞれ弾性変形可能に接続した構造をなしている。本実施形態においては、前記中間部Ｅ６の左右の隣接する２箇所に前記特定箇所を設定し、それらの特定箇所にそれぞれ前記帯状部材Ｅ６１及び接続片Ｅ６２を配置している。
【００６９】
前記各帯状部材Ｅ６１は、それぞれ環状をなすものであり、複数の帯状部材Ｅ６１が同心円状に配列されている。各帯状部材Ｅ６１は、後部が半円弧状をなしているとともに前方に向かって漸次幅を狭くした涙形状をなしている。
【００７０】
前記各接続片Ｅ６２は、隣接する帯状部材Ｅ６１の２箇所をつなぐように配置されたものであり、前記帯状部材Ｅ６１の２箇所を直線で接続するよりも長い経路をもって弾性変形可能に接続し得る形状をなしている。具体的には、各接続片Ｅ６２は、それぞれ波状をなしており、この実施形態では、各接続片Ｅ６２は、一の帯状部材Ｅ６１の内縁と、その一の帯状部材Ｅ６１の内方に隣接配置される他の帯状部材Ｅ６１の外縁とを、最短距離よりも長い経路で結ぶ位置で接続している。すなわち、前記接続片Ｅ６２同士は、ほぼ一定の隙間をもって、隣接する帯状部材Ｅ６１の間を埋めるように配置されている。
【００７１】
また、中間部Ｅ６は、前記帯状部材Ｅ６１及び接続片Ｅ６２とは別に、前記右の特定箇所における帯状部材Ｅ６１のうち最も内側に位置する部分と、左の特定箇所における帯状部材Ｅ６１のうち最も内側に位置する部分を弾性変形可能に接続し得るほぼ直線形状をなす補助部材Ｅ６３を備えている。そして、これらの帯状部材Ｅ６１、接続片Ｅ６２及び補助部材Ｅ６３が、ほぼ同一面内に配置されている。
【００７２】
このような構成のものであれば、前述した第１実施形態に準じた効果が得られる。すなわち、座板Ｅ３の前後左右方向において、着座者の臀部から大腿部に及ぶ体重分布に対応した撓み特性を得ることができる。特に、この実施形態では、中間部Ｅ６の２箇所に前述したような構成を有しているので、体重のかかり具合に合わせて着座者の臀部を受ける部分が最も変形しやすくなっている。そのため、臀部全体を均等に支持することが可能となり、座り心地を良くすることができる。また、第１実施形態において図１ないし図４で図示した中間部Ａ６であると、座板Ａ３に比較的大きな隙間が存在するため、着座者に違和感を与えるおそれがあるが、本実施形態のように、中間部Ｅ６において隙間を埋めるように帯状部材Ｅ６１、接続片Ｅ６２、及び補助部材Ｅ６３を密に配するようにすれば、前述した違和感を与えるおそれがなくなる。
【００７３】
また、以上説明した第５実施形態の座板に準じた構成をなす座板を、前記第２実施形態の椅子本体、前記第３実施形態の椅子本体、または前記第４実施形態の椅子本体に組み合わせることも考えられる。
【００７４】
なお、本発明は以上に述べた実施形態に限られない。
【００７５】
板体は、座板を構成するものに限らず、背板を構成するものであってもよい。
【００７６】
帯状部材及び接続片は、同一平面上に配置されるものに限られないのはもちろんであり、例えば、接続片を厚み方向に波打たせる等種々変形が可能である。
【００７７】
また、帯状部材の断面形状は、例えば円形状または楕円形状等角縁部をなくしたものとしてもよい。このようなものであれば、着座によって帯状部材が下方に撓むのと同時に前後左右方向に捩れても、帯状部材に角縁部がないため、着座者に角縁部が当たることがなくなり、座り心地はさらに向上する。接続片の断面形状も前述した帯状部材と同様に、角縁部をなくしたものとすることができる。
【００７８】
各帯状部材の余剰長さは、漸次変化するように設定されているものであってもよい。例えば、中間部の各帯状部材が、座板の前側から後側に向かって漸次その長さを変化させるものや、座板の中央から左右に向かって漸次その長さを変化させるものなどが考えられる。
【００７９】
座板が、板材の上面を張り地で覆い設けたものや、さらに、その張り地と板材との間にクッションを介在させたものであってもよい。
【００８０】
また、板材の素材は、椅子用のシェル等を成形するための樹脂に限らず、エラストマーを用いてもよい。
【００８１】
以上説明した実施形態では、中間部の全域が、前記帯状部材及び接続片を備えた構造をなしていたが、本発明はこのようなものに限られず、中間部の一部の領域にのみ前記帯状部材及び接続片を備えているものであってもよい。その一例として、中間部の複数箇所の領域に前記帯状部材及び接続片を備えているものが考えられる。
【００８２】
前記座板の取付体は、図示実施例のものに限られないのはもちろんであり、板材に一体に設けられるものの他、別体の取付体を板材に取り付けるようにしたものであってもよい。また、取付体の形状についても種々変更可能であり、例えば、前記第１実施形態における取付体Ａ３２に代えて、図１４に模式的に示すようなものが考えられる。この取付体Ｆ７は、前記周縁部Ｆ５の側縁部分Ｆ５１の下面に一体に設けられ下方に突出する突起状のものであり、その先端部分Ｆ７１が外側方に向かって湾曲している。すなわち、この取付体Ｆ７と下方に湾曲する周縁部Ｆ５の側縁部分Ｆ５１における端縁Ｆ５１１とにより、横断面Ｃ字形をなす溝Ｆ７２を構成したもので、その溝Ｆ７２を前記側フレームＦ２５に係わり合わせることにより、前記座板Ｆ３を前記椅子本体Ｆ２に取り付けるものである。この溝Ｆ７２は、前記側フレームＦ２５を包み込むような形状をなしており、前記溝Ｆ７２の開口端Ｆ７３と前記側フレームＦ２５の下端部が略一致している。
【００８３】
このようなものであれば、第１実施形態と比べて、座板Ｆ３を側フレームＦ２５により接近させることができるので、スタックピッチをより小さくすることができ、スタッキング効率を上げることが可能となる。
【００８４】
上記第１実施形態の前フレームは、前記中間部が厚み方向に撓んだ場合に、前記中間部の下面と前フレームの上面との間になお隙間を介したものになっているが、中間部の下面が前フレームの上面に当接して中間部の下方への撓み範囲を制限するものであってもよい。
【００８５】
上記第２実施形態の支持フレームは、前記中間部が厚み方向に撓んだ場合に、前記中間部の下面と支持フレームの上面との間になお隙間を介したものになっているが、中間部の下面が支持フレームの上面に当接して中間部の下方への撓み範囲を制限するものであってもよい。
【００８６】
上記第３実施形態の支持機構は、座フレームの前端側を前リンク要素を介して支持基部に支持させるとともに、座フレームの後端側を背支桿の座取付部に枢支させたものであるが、このようなものに限られるものでなく、背板と座板とが一定の比率で同期して傾動するシンクロロッキング可能なものであれば、適宜なものを使用できる。
【００８７】
その他、本発明の趣旨を損ねない範囲で種々に変更してよい。
【符号の説明】
【００８８】
Ａ１、Ｂ１、Ｃ１、Ｄ１…椅子
Ａ２、Ｂ２、Ｃ２、Ｄ２…椅子本体
Ａ３、Ｂ３、Ｃ３、Ｄ３、Ｅ３…座板
Ａ３１、Ｂ３１、Ｃ３１、Ｄ３１、Ｅ３１…板材
Ａ４、Ｂ４、Ｃ４、Ｄ４…背板
Ａ５、Ｂ５、Ｃ５、Ｄ５、Ｅ５…周縁部
Ａ６、Ｂ６、Ｃ６、Ｄ６、Ｅ６…中間部
Ａ６１、Ｅ６１…帯状部材
Ａ６２、Ｅ６２…接続片
【図１】
0005593523.tif 000002
【図２】
0005593523.tif 000003
【図３】
0005593523.tif 000004
【図４】
0005593523.tif 000005
【図５】
0005593523.tif 000006
【図６】
0005593523.tif 000007
【図７】
0005593523.tif 000008
【図８】
0005593523.tif 000009
【図９】
0005593523.tif 000010
【図１０】
0005593523.tif 000011
【図１１】
0005593523.tif 000012
【図１２】
0005593523.tif 000013
【図１３】
0005593523.tif 000014
【図１４】
0005593523.tif 000015